(57)【要約】【課題】風呂の追い焚き燃焼を単独で行っている場合であっても、潜熱回収用の２次熱交換器と接する給湯配管の水の沸騰を回避させることのできる一缶二水路給湯システムを提供することを目的とする。【解決手段】温度センサＳ１，Ｓ２は、１次熱交換器２に対応して配置されている給湯配管４の内部の水の温度を検出する。温度センサＳ３は、２次熱交換器３に対応して配置されている給湯配管の内部の水の温度を検出する。制御手段１１０は、バーナ１による風呂の追い焚き燃焼のみが行われるときは、温度センサＳ１，Ｓ２による検出の結果および温度センサＳ３による検出の結果と予め設定される設定温度値とに基づいて、バーナ１による風呂の追い焚き燃焼動作をオフ状態に制御する。【選択図】        図２
2007120866.tif 000002
【特許請求の範囲】
【請求項１】
給湯配管および追い焚き配管と、
給湯燃焼と風呂の追い焚き燃焼とを行う燃焼手段と、
前記給湯配管および前記追い焚き配管に設けられ、前記燃焼手段の燃焼によって加熱される１次熱交換器と、
前記給湯配管に設けられ、前記燃焼手段に対し前記１次熱交換器の配設位置よりも離れた位置に配設される潜熱回収用の２次熱交換器と、
前記１次熱交換器に対応して配置されている前記給湯配管の内部の水の温度を検出する第１の温度検出手段と、
前記２次熱交換器に対応して配置されている前記給湯配管の内部の水の温度を検出する第２の温度検出手段と、
前記燃焼手段による前記風呂の追い焚き燃焼のみが行われるときは、前記第１の温度検出手段による検出の結果および前記第２の温度検出手段による検出の結果と予め設定される設定温度値とに基づいて、前記燃焼手段による前記風呂の追い焚き燃焼動作をオンオフ制御する制御手段と、
を有することを特徴とする一缶二水路給湯システム。
【請求項２】
前記制御手段は、
前記燃焼手段による前記風呂の追い焚き燃焼動作がオン状態のときに、前記第１の温度検出手段によって検出される前記給湯配管の内部の水の温度が予め設定される第１の設定温度値に達した場合、または、前記第２の温度検出手段によって検出される前記給湯配管の内部の水の温度が予め設定され前記第１の設定温度値よりも大きい第２の設定温度値に達した場合は、前記燃焼手段による前記風呂の追い焚き燃焼動作をオン状態からオフ状態に変化させる制御を行うとともに、
前記燃焼手段による前記風呂の追い焚き燃焼動作がオフ状態になった後に、前記第１の温度検出手段および前記第２の温度検出手段のそれぞれによって検出される前記給湯配管の内部の水の温度がそれぞれ前記第２の設定温度値以下に低下した場合は、前記燃焼手段による前記風呂の追い焚き燃焼動作をオフ状態からオン状態に変化させる制御を行う
ことを特徴とする請求項１記載の一缶二水路給湯システム。
【請求項３】
前記制御手段は、
前記第１の温度検出手段による検出の結果および前記第２の温度検出手段による検出の結果と、前記第１の設定温度値または前記第２の設定温度値とを比較する比較手段と、
前記燃焼手段による前記風呂の追い焚き燃焼動作がオン状態のときに、前記比較手段によって、前記第１の温度検出手段による検出の結果が前記第１の設定温度値以上であると判断された場合、または、前記第２の温度検出手段による検出の結果が前記第２の設定温度値以上であると判断された場合は、前記燃焼手段による前記風呂の追い焚き燃焼動作をオン状態からオフ状態に変化させる制御を行うとともに、前記燃焼手段による前記風呂の追い焚き燃焼動作がオフ状態になった後に、前記比較手段によって、前記第１の温度検出手段による検出の結果および前記第２の温度検出手段による検出の結果がともに前記第２の設定温度値以下であると判断された場合は、前記燃焼手段による前記風呂の追い焚き燃焼動作をオフ状態からオン状態に変化させる制御を行うオンオフ制御手段と、
を備えたことを特徴とする請求項２記載の一缶二水路給湯システム。
【請求項４】
給水側配管および給湯側配管を有する給湯配管と、
浴槽内に注水するための管の機能を有する追い焚き配管と、
給湯燃焼と風呂の追い焚き燃焼とを行う燃焼手段と、
前記給湯配管および前記追い焚き配管に設けられ、前記燃焼手段の燃焼によって加熱される１次熱交換器と、
前記給湯配管に設けられ、前記燃焼手段に対し前記１次熱交換器の配設位置よりも離れた位置に配設される潜熱回収用の２次熱交換器と、
前記１次熱交換器に対応して配置されている前記給湯配管の内部の水の温度を検出する第１の温度検出手段と、
前記２次熱交換器に対応して配置されている前記給湯配管の内部の水の温度を検出する第２の温度検出手段と、
前記給湯配管の給湯側配管と前記追い焚き配管とを連通する通路に設けられ、開閉制御される開閉手段と、
前記燃焼手段による前記風呂の追い焚き燃焼のみが行われるときは、前記第１の温度検出手段による検出の結果および前記第２の温度検出手段による検出の結果と予め設定された設定温度値とに基づいて、前記浴槽内に注水すべく前記開閉手段を開状態に制御する制御手段と、
を有することを特徴とする一缶二水路給湯システム。
【請求項５】
前記制御手段は、
前記第１の温度検出手段による検出の結果が予め設定された第１の設定温度値に達しているか否かを判断するとともに、前記第２の温度検出手段による検出の結果が予め設定され前記第１の設定温度値よりも大きい第２の設定温度値に達しているか否かを判断する判断手段と、
前記判断手段によって前記第１の温度検出手段による検出の結果が前記第１の設定温度値に達していると判断された場合、または、前記第２の温度検出手段による検出の結果が前記第２の設定温度値に達していると判断された場合は、前記開閉手段を開状態に制御する開閉制御手段と、
を備えたことを特徴とする請求項４記載の一缶二水路給湯システム。
【請求項６】
前記給湯配管は、給水側配管に給水される水が前記２次熱交換器を経由し次に前記１次熱交換器を経由して前記給湯側配管に流通すべく構造になっていることを特徴とする請求項４または５記載の一缶二水路給湯システム。
【請求項７】
追い焚き配管と、
給水側配管および給湯側配管を有する給湯配管と、
給湯燃焼と風呂の追い焚き燃焼とを行う燃焼手段と、
前記給湯配管および前記追い焚き配管に設けられ、前記燃焼手段の燃焼によって加熱される１次熱交換器と、
前記給湯配管に設けられ、前記燃焼手段に対し前記１次熱交換器の配設位置よりも離れた位置に配設される潜熱回収用の２次熱交換器と、
前記１次熱交換器に対応して配置されている前記給湯配管の内部の水の温度を検出する第１の温度検出手段と、
前記２次熱交換器に対応して配置されている前記給湯配管の内部の水の温度を検出する第２の温度検出手段と、
前記給湯配管の給水側配管と前記給湯配管の給湯側配管とを連通する通路に設けられ、駆動制御されることにより前記給湯配管内の水を循環させる循環手段と、
前記燃焼手段による前記風呂の追い焚き燃焼のみが行われるときは、前記第１の温度検出手段による検出の結果および前記第２の温度検出手段による検出の結果と予め設定された設定温度値とに基づいて、前記給湯配管内の水を循環させるべく前記循環手段を駆動制御する制御手段と、
を有することを特徴とする一缶二水路給湯システム。
【請求項８】
前記制御手段は、
前記第１の温度検出手段による検出の結果が予め設定された第１の設定温度値に達しているか否かを判断するとともに、前記第２の温度検出手段による検出の結果が予め設定され前記第１の設定温度値よりも大きい第２の設定温度値に達しているか否かを判断する判断手段と、
前記判断手段によって前記第１の温度検出手段による検出の結果が前記第１の設定温度値に達していると判断された場合、または、前記第２の温度検出手段による検出の結果が前記第２の設定温度値に達していると判断された場合は、前記循環手段を駆動制御する駆動制御手段と、
を備えたことを特徴とする請求項７記載の一缶二水路給湯システム。
【請求項９】
前記給水側配管または前記給湯側配管と前記追い焚き配管とが密着されていることを特徴とする請求項７または８記載の一缶二水路給湯システム。
【発明の詳細な説明】
【技術分野】
【０００１】
本発明は、燃焼手段の燃焼によって加熱される１次熱交換器と潜熱回収用の２次熱交換器とを備える一缶二水路給湯システムに関するものである。
【背景技術】
【０００２】
近年、給湯システムとして、熱効率の向上の観点から、一缶二水構造を有するとともに潜熱回収用熱交換器を備えた給湯システム、すなわち潜熱回収用熱交換器を備えた一缶二水路給湯システムが普及しつつある。
【０００３】
図１３は、このような一缶二水路給湯システムの概略構成を示す模式図を示している。
【０００４】
図１３に示すように、一缶二水路給湯システムは、給湯配管４および追い焚き配管５と、ガス管１ａを経由して燃料（燃焼）ガスが供給され、給湯燃焼と風呂の追い焚き燃焼とを行う燃焼手段としてのバーナ１と、バーナ１の燃焼によって加熱され、給湯用熱交換器と追い焚き用熱交換器とが一体化された１次熱交換器２と、バーナ１に対し１次熱交換器２の配設位置よりも離れた位置に配設される潜熱回収用の２次熱交換器３と、を備えている。また、この一缶二水路給湯システムは、図１３には図示していないが、ガス管１ａに設けられ、バーナ１へ燃料ガスを供給する電磁開閉弁と、バーナ１近傍に設けられ、バーナ１を点火する点火手段、およびバーナ１の下方側に配置され、バーナ１に燃焼用空気を供給する燃焼ファンと、を備えている。
【０００５】
１次熱交換器２は複数のフィン２ａを有し、一方、２次熱交換器３は複数のフィン３ａを有している。なお、２次熱交換器３においては、複数のフィン３ａは無くてもよい。
【０００６】
１次熱交換器２は給湯配管４および追い焚き配管５に配設されているとともに、２次熱交換器３は給湯配管４に配設されている。すなわち、給湯配管４には１次熱交換器２のフィン２ａおよび２次熱交換器３のフィン３ａが密着して設けられており、追い焚き配管５には１次熱交換器２のフィン２ａが密着して設けられている。
【０００７】
給湯配管４は、入口側配管４ａに給水された水が、２次熱交換器３を経由し、次に１次熱交換器２を経由して出口側配管４ｂから流出されるように配設されている。
【０００８】
入口側配管４ａと出口側配管４ｂとの間にはバイパス通路６が設けられている。また、出口側配管４ｂには給湯栓（給水栓）７が設けられている。
【０００９】
追い焚き配管５は、浴槽８の側壁に開口して延びる戻り管５ａおよび往き管５ｂから構成されている。戻り管５ａには循環ポンプ９が設置されている。
【００１０】
また、追い焚き配管５は、浴槽８内の浴槽水（揚水）が、循環ポンプ９が回転駆動することで戻り管５ａから取り込まれて１次熱交換器２を経由し、その後、行き管５ｂから再び浴槽８へ戻る、ように構成されている。すなわち、浴槽８、戻り管５ａおよび行き管５ｂで、浴槽８内の浴槽水（揚水）を循環させるための循環路が形成される。
【００１１】
戻り管５ａには、浴槽８の循環浴槽水（循環揚水）の温度を風呂温度（浴槽８内の湯の温度）として検出するサーミスタ等の風呂温度センサ１０が設けられている。
【００１２】
戻り管５ａにおける循環ポンプ９の下流側と給湯配管４の出口側配管４ｂとの間には、注湯管１１が設けられている。注湯管１１には図示しない制御手段により弁が開閉制御される注湯弁１２が設けられている。
【００１３】
ここで、上述した構成の一缶二水路給湯システムにおいて、給湯運転（給湯燃焼）、湯張り運転（自動湯張り運転）およびふろ単独運転（追い焚き運転）を行う場合の動作について説明する。
【００１４】
最初に、給湯運転（給湯燃焼）を行う場合の動作について説明する。
【００１５】
注湯弁１２が閉じた状態で、給湯栓７が開けられると、給湯配管４の入口側配管４ａからの給水が、最初に２次熱交換器３を経由し、次に１次熱交換器２を経由して、給湯配管４の出口側配管４ｂから流出する。
【００１６】
このとき、２次熱交換器３（のフィン３ａ）と密着している給湯配管４の内部を通る水は、バーナ１の燃焼（給湯燃焼）による排気ガスが２次熱交換器３を通るときに、この排気ガス中の水蒸気が保有している潜熱を２次熱交換器３（のフィン３ａ）が奪い取る（回収する）ことにより、このフィン３ａと密着している給湯配管４を介して温度が高められる（予備加熱される）。
【００１７】
さらに、潜熱回収を行っている２次熱交換器３によって予備加熱された水が１次熱交換器２（のフィン２ａ）と密着している給湯配管４の内部を通るときに、予備加熱された水は、バーナ１の燃焼火力でもって１次熱交換器２（のフィン２ａ）およびこのフィン２ａと密着している給湯配管４を介して加熱（再加熱）されて、設定温度の湯として給湯配管４の出口側配管４ｂから流出する。
【００１８】
次に、湯張り運転を行う場合の動作について説明する。
【００１９】
図示しない制御手段による湯張り運転すべき旨の指令を基に、注湯弁１２が閉から開の状態に変化される。そして、上記給湯運転の場合と同様に、バーナ１の燃焼が開始されると、給湯配管４の入口側配管４ａからの給水が２次熱交換器３において予備加熱され、さらに１次熱交換器２において再加熱される。
【００２０】
このようにして１次熱交換器２において加熱された湯は、注湯管１１、戻り管５ａおよび行き管５ｂを経由して浴槽８に供給される。浴槽８内に所定の量の湯が供給されると、注湯弁１２は開から閉の状態に変化されるとともに、バーナ１の燃焼が停止される。
【００２１】
続いて、ふろ単独運転つまり追い焚き単独運転（追い焚き燃焼）を行う場合の動作について説明する。
【００２２】
例えばリモコンや操作パネルなどによる追い焚きすべき旨の指示があると、図示しない制御手段によって注湯弁１２が閉じた状態で循環ポンプ９が回転駆動され、浴槽８内の浴槽水が戻り管５ａおよび行き管５ｂを通って循環する。
【００２３】
このようにして浴槽８内の浴槽水の循環が追い焚き配管５を介して行われた場合は、風呂温度センサ１０によって浴槽８の風呂温度が検出され、風呂検出温度が風呂設定温度よりも低い旨が検出されたときは、バーナ１の燃焼（追い焚き燃焼）が行われる。
【００２４】
これにより、追い炊き配管５を通して循環する浴槽水は、バーナ１の燃焼（追い焚き燃焼）により加熱された１次熱交換器２のフィン２ａと密着している追い焚き配管５を介して加熱される。
【００２５】
そして、風呂温度センサ１０によって浴槽水の温度が風呂設定温度に達したことが検出されたときは、循環ポンプ９が停止されるとともに、バーナ１の燃焼が停止される。
【００２６】
なお、上述した一缶二水路給湯システムは、例えば、一缶二水路給湯器（例えば特許文献１参照）と、潜熱回収用熱交換器を備えた給湯器（例えば特許文献２参照）とを組み合わせることにより実現可能である。
【特許文献１】実公平８−７３０７号公報
【特許文献２】特開平８−１３６０５８号公報
【発明の開示】
【発明が解決しようとする課題】
【００２７】
しかしながら、上記従来の一缶二水路給湯システムでは、追い焚き単独運転（ふろ単独での運転）のときは、追い炊き配管５を通して循環する浴槽水を加熱するために、バーナ１によって燃焼（追い焚き燃焼）を行った場合は、１次熱交換器２が加熱されるのは勿論のこと、バーナ１の燃焼により発生する排気ガスが潜熱回収用の２次熱交換器３を通るときに、この排気ガス中の水蒸気が保有している潜熱を２次熱交換器３が奪い取る（回収する）ことにより、２次熱交換器３が加熱される。
【００２８】
そのため、排気ガスが有する潜熱を回収している２次熱交換器３（のフィン３ａ）と密着している給湯配管４の内部に滞留している水の温度が上昇することになり、追い焚き単独運転（つまり追い焚き燃焼）が継続して行われた場合は、その給湯配管４内に滞留している水が沸騰する可能性がある。
【００２９】
しかも、例えば追い焚き単独運転中において、給湯配管４に設けられている給湯栓７が開けられて給湯が行われると、２次熱交換器３と密着している給湯配管４内の沸騰した湯が１次熱交換器２を経由して給湯されることになり、好ましくない。
【００３０】
そこで、本発明は、風呂の追い焚き燃焼を単独で行っている場合であっても、潜熱回収用の２次熱交換器と接する給湯配管の水の沸騰を回避させることのできる一缶二水路給湯システムを提供することを目的とする。
【課題を解決するための手段】
【００３１】
上記課題を解決するため、請求項１に記載の本発明の一缶二水路給湯システムは、給湯配管および追い焚き配管と、給湯燃焼と風呂の追い焚き燃焼とを行う燃焼手段と、前記給湯配管および前記追い焚き配管に設けられ、前記燃焼手段の燃焼によって加熱される１次熱交換器と、前記給湯配管に設けられ、前記燃焼手段に対し前記１次熱交換器の配設位置よりも離れた位置に配設される潜熱回収用の２次熱交換器と、前記１次熱交換器に対応して配置されている前記給湯配管の内部の水の温度を検出する第１の温度検出手段と、前記２次熱交換器に対応して配置されている前記給湯配管の内部の水の温度を検出する第２の温度検出手段と、前記燃焼手段による前記風呂の追い焚き燃焼のみが行われるときは、前記第１の温度検出手段による検出の結果および前記第２の温度検出手段による検出の結果と予め設定される設定温度値とに基づいて、前記燃焼手段による前記風呂の追い焚き燃焼動作をオンオフ制御する制御手段と、を有することを特徴とする。
【００３２】
このように、風呂の追い焚き燃焼のみが行われるときは、制御手段によって、第１の温度検出手段および第２の温度検出手段のそれぞれによる検出の結果と予め設定される設定温度値とに基づいて、燃焼手段による風呂の追い焚き燃焼動作がオンオフ制御されるようになっているので、風呂の追い焚き燃焼に起因して潜熱回収する２次熱交換器の熱による給湯配管への入熱量を制御することができ、これにより風呂の追い焚き燃焼を単独で行っている場合であっても、潜熱回収用の２次熱交換器と接する給湯配管の水（湯）の沸騰を回避させることができる。
【００３３】
請求項２に記載の本発明は、請求項１に記載の発明の構成に加えて、前記制御手段は、前記燃焼手段による前記風呂の追い焚き燃焼動作がオン状態のときに、前記第１の温度検出手段によって検出される前記給湯配管の内部の水の温度が予め設定される第１の設定温度値に達した場合、または、前記第２の温度検出手段によって検出される前記給湯配管の内部の水の温度が予め設定され前記第１の設定温度値よりも大きい第２の設定温度値に達した場合は、前記燃焼手段による前記風呂の追い焚き燃焼動作をオン状態からオフ状態に変化させる制御を行うとともに、前記燃焼手段による前記風呂の追い焚き燃焼動作がオフ状態になった後に、前記第１の温度検出手段および前記第２の温度検出手段のそれぞれによって検出される前記給湯配管の内部の水の温度がそれぞれ前記第２の設定温度値以下に低下した場合は、前記燃焼手段による前記風呂の追い焚き燃焼動作をオフ状態からオン状態に変化させる制御を行うことを特徴とする。
【００３４】
このように、風呂の追い焚き燃焼動作がオン状態のときに、１次熱交換器に対応して配設されている給湯配管の内部の水の温度が第１の設定温度値に達した場合、または、２次熱交換器に対応して配設されている給湯配管の内部の水の温度が第２の設定温度値（＞第１の設定温度値）に達した場合は、燃焼手段による風呂の追い焚き燃焼動作がオフ（停止）されるとともに、風呂の追い焚き燃焼動作がオフになった後、１次熱交換器に対応して配設されている給湯配管および２次熱交換器に対応して配設されている給湯配管のそれぞれの内部の水（湯）の温度がそれぞれ第２の設定温度値以下に低下した場合は、燃焼手段による風呂の追い焚き燃焼動作がオン（開始）されるようになっているので、風呂の追い焚き燃焼に起因して潜熱回収する２次熱交換器の熱による給湯配管への入熱量を制御することができ、これにより風呂の追い焚き燃焼を単独で行っている場合であっても、潜熱回収用の２次熱交換器と接する給湯配管の水（湯）の沸騰を回避させることができる。
【００３５】
請求項３に記載の本発明は、請求項２に記載の発明の構成に加えて、前記制御手段は、前記第１の温度検出手段による検出の結果および前記第２の温度検出手段による検出の結果と、前記第１の設定温度値または前記第２の設定温度値とを比較する比較手段と、前記燃焼手段による前記風呂の追い焚き燃焼動作がオン状態のときに、前記比較手段によって、前記第１の温度検出手段による検出の結果が前記第１の設定温度値以上であると判断された場合、または、前記第２の温度検出手段による検出の結果が前記第２の設定温度値以上であると判断された場合は、前記燃焼手段による前記風呂の追い焚き燃焼動作をオン状態からオフ状態に変化させる制御を行うとともに、前記燃焼手段による前記風呂の追い焚き燃焼動作がオフ状態になった後に、前記比較手段によって、前記第１の温度検出手段による検出の結果および前記第２の温度検出手段による検出の結果がともに前記第２の設定温度値以下であると判断された場合は、前記燃焼手段による前記風呂の追い焚き燃焼動作をオフ状態からオン状態に変化させる制御を行うオンオフ制御手段と、を備えたことを特徴とする。
【００３６】
このように、オンオフ制御手段が、風呂の追い焚き燃焼動作がオン状態のときに、判断手段によって、第１の温度検出手段による検出の結果が第１の設定温度値以上であると判断された場合、または、第２の温度検出手段による検出の結果が前記第２の設定温度値以上であると判断された場合は、燃焼手段による風呂の追い焚き燃焼動作をオン状態からオフ状態に変化させる制御を行うとともに、燃焼手段による風呂の追い焚き燃焼動作がオフ状態になった後に、比較手段によって、第１の温度検出手段による検出の結果および第２の温度検出手段による検出の結果がともに第２の設定温度値以下であると判断された場合は、燃焼手段による風呂の追い焚き燃焼動作をオフ状態からオン状態に変化させる制御を行うようにしているので、風呂の追い焚き燃焼に起因して潜熱回収する２次熱交換器の熱による給湯配管への入熱量を制御することができ、これにより風呂の追い焚き燃焼を単独で行っている場合であっても、潜熱回収用の２次熱交換器と接する給湯配管の水（湯）の沸騰を回避させることができる。
【００３７】
上記課題を解決するため、請求項４に記載の本発明の一缶二水路給湯システムは、給水側配管および給湯側配管を有する給湯配管と、浴槽内に注水するための管の機能を有する追い焚き配管と、給湯燃焼と風呂の追い焚き燃焼とを行う燃焼手段と、前記給湯配管および前記追い焚き配管に設けられ、前記燃焼手段の燃焼によって加熱される１次熱交換器と、前記給湯配管に設けられ、前記燃焼手段に対し前記１次熱交換器の配設位置よりも離れた位置に配設される潜熱回収用の２次熱交換器と、前記１次熱交換器に対応して配置されている前記給湯配管の内部の水の温度を検出する第１の温度検出手段と、前記２次熱交換器に対応して配置されている前記給湯配管の内部の水の温度を検出する第２の温度検出手段と、前記給湯配管の給湯側配管と前記追い焚き配管とを連通する通路に設けられ、開閉制御される開閉手段と、前記燃焼手段による前記風呂の追い焚き燃焼のみが行われるときは、前記第１の温度検出手段による検出の結果および前記第２の温度検出手段による検出の結果と予め設定された設定温度値とに基づいて、前記浴槽内に注水すべく前記開閉手段を開状態に制御する制御手段と、を有することを特徴とする。
【００３８】
このように、風呂の追い焚き燃焼のみが行われるときは、制御手段によって、第１の温度検出手段および第２の温度検出手段のそれぞれによる検出の結果と予め設定される設定温度値とに基づいて、浴槽内に注水すべく開閉手段が開状態に制御されるようになっているので、給湯配管内の高温の水（湯）が追い焚き配管に向けて流通し、しかも給水側配管から水が給水されることにより、風呂の追い焚き燃焼に起因して潜熱回収する２次熱交換器によって加熱される給湯配管に低温の水が流入するので、風呂の追い焚き燃焼を単独で行っている場合であっても、潜熱回収用の２次熱交換器と接する給湯配管の水（湯）の沸騰を回避させることができる。
【００３９】
請求項５に記載の本発明は、請求項４に記載の発明の構成に加えて、前記制御手段は、前記第１の温度検出手段による検出の結果が予め設定された第１の設定温度値に達しているか否かを判断するとともに、前記第２の温度検出手段による検出の結果が予め設定され前記第１の設定温度値よりも大きい第２の設定温度値に達しているか否かを判断する判断手段と、前記判断手段によって前記第１の温度検出手段による検出の結果が前記第１の設定温度値に達していると判断された場合、または、前記第２の温度検出手段による検出の結果が前記第２の設定温度値に達していると判断された場合は、前記開閉手段を開状態に制御する開閉制御手段と、を備えたことを特徴とする。
【００４０】
このように、開閉制御手段が、判断手段によって第１の温度検出手段による検出の結果が第１の設定温度値に達していると判断された場合、または、第２の温度検出手段による検出の結果が第２の設定温度値（＞第１の設定温度値）に達していると判断された場合は、開閉手段を開状態に制御するようにしているので、給湯配管内の高温の水（湯）が追い焚き配管に向けて流通し、しかも給水側配管から水が給水されることにより、風呂の追い焚き燃焼に起因して潜熱回収する２次熱交換器によって加熱される給湯配管に低温の水が流入するので、風呂の追い焚き燃焼を単独で行っている場合であっても、潜熱回収用の２次熱交換器と接する給湯配管の水（湯）の沸騰を回避させることができる。
【００４１】
請求項６に記載の本発明は、請求項４または５に記載の発明の構成に加えて、前記給湯配管は、給水側配管に給水される水が前記２次熱交換器を経由し次に前記１次熱交換器を経由して前記給湯側配管に流通すべく構造になっていることを特徴とする。
【００４２】
これにより、風呂の追い焚き燃焼に起因して潜熱回収する２次熱交換器に対応して配設されている給湯配管の内部の高温の湯は１次熱交換器および給湯側配管に向けて流通するとともに、当該給湯配管の内部に水が給水されるので、風呂の追い焚き燃焼を単独で行っている場合であっても、迅速にかつ確実に、潜熱回収用の２次熱交換器と接する給湯配管の水（湯）の沸騰を回避させることができる。
【００４３】
上記課題を解決するため、請求項７に記載の本発明の一缶二水路給湯システムは、追い焚き配管と、給水側配管および給湯側配管を有する給湯配管と、給湯燃焼と風呂の追い焚き燃焼とを行う燃焼手段と、前記給湯配管および前記追い焚き配管に設けられ、前記燃焼手段の燃焼によって加熱される１次熱交換器と、前記給湯配管に設けられ、前記燃焼手段に対し前記１次熱交換器の配設位置よりも離れた位置に配設される潜熱回収用の２次熱交換器と、前記１次熱交換器に対応して配置されている前記給湯配管の内部の水の温度を検出する第１の温度検出手段と、前記２次熱交換器に対応して配置されている前記給湯配管の内部の水の温度を検出する第２の温度検出手段と、前記給湯配管の給水側配管と前記給湯配管の給湯側配管とを連通する通路に設けられ、駆動制御されることにより前記給湯配管内の水を循環させる循環手段と、前記燃焼手段による前記風呂の追い焚き燃焼のみが行われるときは、前記第１の温度検出手段による検出の結果および前記第２の温度検出手段による検出の結果と予め設定された設定温度値とに基づいて、前記給湯配管内の水を循環させるべく前記循環手段を駆動制御する制御手段と、を有することを特徴とする。
【００４４】
このように、風呂の追い焚き燃焼のみが行われるときは、制御手段によって、第１の温度検出手段および第２の温度検出手段のそれぞれによる検出の結果と予め設定される設定温度値とに基づいて、給湯配管内の水を循環させるべく循環手段が駆動制御されるようになっているので、１次熱交換器および２次熱交換器に対応して配設されている給湯配管の内部の高温の湯が、前記２つの熱交換器より所定距離離間して設けられている給湯配管例えば給水側配管および給湯側配管に流通して、これらの配管によって冷却されるとともに、給水側配管および給湯側配管の内部の低温の湯が１次熱交換器および２次熱交換器に対応して配設されている給湯配管に流通すべく、給湯配管内の水（湯）が循環手段の駆動により強制的に循環されるので、風呂の追い焚き燃焼を単独で行っている場合であっても、潜熱回収用の２次熱交換器と接する給湯配管の水（湯）の沸騰を回避させることができる。
【００４５】
請求項８に記載の本発明は、請求項７に記載の発明の構成に加えて、前記制御手段は、前記第１の温度検出手段による検出の結果が予め設定された第１の設定温度値に達しているか否かを判断するとともに、前記第２の温度検出手段による検出の結果が予め設定され前記第１の設定温度値よりも大きい第２の設定温度値に達しているか否かを判断する判断手段と、前記判断手段によって前記第１の温度検出手段による検出の結果が前記第１の設定温度値に達していると判断された場合、または、前記第２の温度検出手段による検出の結果が前記第２の設定温度値に達していると判断された場合は、前記循環手段を駆動制御する駆動制御手段と、を備えたことを特徴とする。
【００４６】
このように、駆動制御手段が、判断手段によって第１の温度検出手段による検出の結果が第１の設定温度値に達していると判断された場合、または、第２の温度検出手段による検出の結果が第２の設定温度値（＞第１の設定温度値）に達していると判断された場合は、循環手段を駆動制御するようにしているので、１次熱交換器および２次熱交換器に対応して配設されている給湯配管の内部の高温の湯が、前記２つの熱交換器より所定距離離間して設けられている給湯配管例えば給水側配管および給湯側配管に流通して、これらの配管によって冷却されるとともに、給水側配管および給湯側配管の内部の低温の湯が１次熱交換器および２次熱交換器に対応して配設されている給湯配管に流通すべく、給湯配管内の水（湯）が循環手段の駆動により強制的に循環されるので、風呂の追い焚き燃焼を単独で行っている場合であっても、潜熱回収用の２次熱交換器と接する給湯配管の水（湯）の沸騰を回避させることができる。
【００４７】
請求項９に記載の本発明は、請求項７または８に記載の発明の構成に加えて、前記給水側配管または前記給湯側配管と前記追い焚き配管とが密着されていることを特徴とする。
【００４８】
これにより、給水側配管および給湯側配管に、１次熱交換器および２次熱交換器に対応して配設されている給湯配管の内部の高温の湯が流入されてきた場合、給水側配管または給湯側配管の内部の高温の湯の熱は、給水側配管または給湯側配管を介して追い焚き配管に伝達され、給水側配管または給湯側配管と追い焚き配管とが密着されていない場合と比較して、より一層冷却されるので、風呂の追い焚き燃焼を単独で行っている場合であっても、より一層、潜熱回収用の２次熱交換器と接する給湯配管の水（湯）の沸騰を回避させることができる。
【発明の効果】
【００４９】
本発明によれば、風呂の追い焚き燃焼のみが行われるときは、制御手段によって、第１の温度検出手段および第２の温度検出手段のそれぞれによる検出の結果と予め設定される設定温度値とに基づいて、燃焼手段による風呂の追い焚き燃焼動作がオンオフ制御されるようになっているので、風呂の追い焚き燃焼に起因して潜熱回収する２次熱交換器の熱による給湯配管への入熱量を制御することができ、これにより風呂の追い焚き燃焼を単独で行っている場合であっても、潜熱回収用の２次熱交換器と接する給湯配管の水（湯）の沸騰を回避させることができるという有効な効果を奏する。
【００５０】
また、本発明によれば、風呂の追い焚き燃焼のみが行われるときは、制御手段によって、第１の温度検出手段および第２の温度検出手段のそれぞれによる検出の結果と予め設定される設定温度値とに基づいて、浴槽内に注水すべく開閉手段が開状態に制御されるようになっているので、給湯配管内の高温の水（湯）が追い焚き配管に向けて流通し、しかも給水側配管から水が給水されることにより、風呂の追い焚き燃焼に起因して潜熱回収する２次熱交換器によって加熱される給湯配管に低温の水が流入するので、風呂の追い焚き燃焼を単独で行っている場合であっても、潜熱回収用の２次熱交換器と接する給湯配管の水（湯）の沸騰を回避させることができるという有効な効果を奏する。
【００５１】
さらに、本発明によれば、風呂の追い焚き燃焼のみが行われるときは、制御手段によって、第１の温度検出手段および第２の温度検出手段のそれぞれによる検出の結果と予め設定される設定温度値とに基づいて、給湯配管内の水を循環させるべく循環手段が駆動制御されるようになっているので、１次熱交換器および２次熱交換器に対応して配設されている給湯配管の内部の高温の湯が、前記２つの熱交換器より所定距離離間して設けられている給湯配管例えば給水側配管および給湯側配管に流通して、これらの配管によって冷却されるとともに、給水側配管および給湯側配管の内部の低温の湯が１次熱交換器および２次熱交換器に対応して配設されている給湯配管に流通すべく、給湯配管内の水（湯）が循環手段の駆動により強制的に循環されるので、風呂の追い焚き燃焼を単独で行っている場合であっても、潜熱回収用の２次熱交換器と接する給湯配管の水（湯）の沸騰を回避させることができるという有効な効果を奏する。
【発明を実施するための最良の形態】
【００５２】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００５３】
（実施の形態１）
【００５４】
図１は本発明の実施の形態１である一缶二水路給湯システムの概略構成を示す模式図、図２は図１に示した一缶二水路給湯システムの制御系の構成を示すブロック図、図３は実施の形態１における追い焚き単独運転時の処理動作を示すフローチャート、図４は実施の形態１における追い焚き単独運転時の追い焚き燃焼のオンオフ制御を説明する図、図５は実施の形態１における追い焚き単独運転時の追い焚き燃焼のオンオフ制御を説明する図、図６は実施の形態１における追い焚き単独運転時の追い焚き燃焼のオンオフ制御を説明する図である。
【００５５】
図１に示す一缶二水路給湯システムは、図１３に示した従来の一缶二水路給湯システムの構成において、複数（３つの）の温度センサＳ１，Ｓ２，Ｓ３、制御装置１００、およびリモートコントローラ（以下、リモコンという）２００を追加した構成になっている。なお、図１において、図１３に示した構成要素と同様の機能を果たす部分には同一の符号を付している。
【００５６】
温度センサＳ１，Ｓ２は、１次熱交換器２に対応して配置されている給湯配管４の内部の水の温度を検出する第１の温度検出手段として機能するものであり、例えばサーミスタなど温度を検出するセンサである。
【００５７】
温度センサＳ１は、１次熱交換器２に対応して配置されている給湯配管４における上流側部位と下流側部位の中間点（ベンド部）に配設され、温度センサＳ２は、当該給湯配管４の下流側部位に配設されている。
【００５８】
これに対し、温度センサＳ３は、２次熱交換器３に対応して配置されている給湯配管３の内部の水の温度を検出する第２の温度検出手段として機能するものであり、例えばサーミスタなど温度を検出するセンサである。
【００５９】
温度センサＳ３は、２次熱交換器２に対応して配置されている給湯配管４における上流側部位と下流側部位との間の所定の位置に配設されている。
【００６０】
なお、上述した温度センサＳ１，Ｓ２，Ｓ３は、給湯配管４に配設され、当該給湯配管４内の水（湯）の温度を検出する。また、風呂温度センサ１０は、追い焚き配管５の戻り管５ａに配設され、当該追い焚き配管５内の湯（浴槽水）の温度を検出する。
【００６１】
これらの温度センサＳ１，Ｓ２，Ｓ３および風呂温度センサ１０と制御装置１００とは電気的に接続されており、これらの温度センサそれぞれによって検出された検出値（温度値）が制御装置１００に入力されるようになっている。
【００６２】
本実施の形態１においては、温度センサＳ１，Ｓ２，Ｓ３によって検出された検出値（温度値）を給湯配管４内の水の温度値とみなして処理する。また、風呂温度センサ１０によって検出された検出値（温度値）を風呂温度値（浴槽８内の湯（浴槽水）の温度値）とみなして処理する。
【００６３】
制御装置１００は、浴室や台所などに配置されるリモコン２００の所定の操作（例えば、給湯運転、追い焚き単独運転）に応じて、バーナ１の燃焼運転を制御する。
【００６４】
なお、本実施の形態１では、１次熱交換器２に対応して配設されている給湯配管４と追い焚き配管５とが密着した構造になっている。例えば、ロー付け等により２つの配管の表面同士が接触し接合された状態になっている。
【００６５】
図２は、このような一缶二水路給湯システムの制御系のブロック図を示している。
【００６６】
リモコン２００は、図２に示すように、浴槽８内の湯（浴槽水）の温度を設定するための風呂温度設定部２１０と、追い焚き単独運転を設定するための追い焚き単独運転設定部２２０と、を備えている。
【００６７】
制御装置１００は、図２に示すように、制御手段１１０、メモリ部１２０、駆動制御部１３０、および燃焼制御部１４０を有している。
【００６８】
風呂温度センサ１０による検出の結果（風呂検出温度値）、温度センサＳ１，Ｓ２，Ｓ３のそれぞれによる検出の結果（検出温度値）、風呂温度設定部２１０によって設定された風呂設定温度値、および追い焚き単独運転設定部２２０によって設定された追い焚き単独運転モードを示すデータは、制御手段１１０に入力されるようになっている。
【００６９】
メモリ部１２０は、風呂温度設定部２１０によって設定された風呂設定温度値、バーナ１の追い焚き燃焼動作のオンオフ制御のときに参照される第１の設定温度値および該第１の設定温度値よりも大きい第２の設定温度値、追い焚き単独運転設定部２２０によって設定された追い焚き単独運転モードを示すデータを記憶する。
【００７０】
制御手段１１０は、比較部（比較手段）１１１とオンオフ制御部（オンオフ制御手段）１１２とを有し、駆動制御１３０を介して循環ポンプ９を駆動制御するとともに、燃焼制御部１４０を介してバーナ１による風呂の追い焚き燃焼動作（バーナ１の燃焼運転）をオンオフ制御する。
【００７１】
制御手段１１０は、バーナ１による風呂の追い焚き燃焼のみが行われるときは、温度センサ（第１の温度検出手段）Ｓ１，Ｓ２による検出の結果および温度センサ（第２の温度検出手段）Ｓ３による検出の結果と予め設定される設定温度値とに基づいて、バーナ１による風呂の追い焚き燃焼動作をオンオフ制御する。
【００７２】
比較部（比較手段）１１１には、温度センサＳ１，Ｓ２，Ｓ３による検出の結果（温度値）が入力されるようになっている。
【００７３】
ここで、温度センサＳ１による検出温度値をＴＺ１とし、温度センサＳ２による検出温度値をＴＺ２とし、温度センサＳ３による検出温度値をＴＺ３とする。
【００７４】
比較部１１１は、温度センサＳ１，Ｓ２，Ｓ３による検出の結果（ＴＺ１，ＴＺ２，ＴＺ３）と、メモリ部１２０に格納されている第１の設定温度値または第２の設定温度値とを比較し、この比較した結果をオンオフ制御部１１２に出力する。
【００７５】
オンオフ制御部（オンオフ制御手段）１１２は、追い焚き単独運転設定部２２０によって追い焚き単独運転モードが設定されたときは、循環ポンプ９を駆動開始させるための制御信号を駆動制御部１３０に出力する。
【００７６】
また、オンオフ制御部１１２は、浴槽水の水温の温度差Ｃ＝「風呂設定温度値」−「風呂検出温度値」を演算し、この演算の結果が予め設定された値以上の場合に、バーナ１による風呂の追い焚き燃焼動作（バーナ１の燃焼運転）のオンオフ制御を実行するとともに、当該オンオフ制御を終了（追い焚き燃焼終了）したときは、循環ポンプ９を駆動停止させるための制御信号を駆動制御部１３０に出力する。
【００７７】
さらに、オンオフ制御部１１２は、追い焚き単独運転設定部２２０からの追い焚き単独運転モード、および比較部１１１からの比較結果に基づいて、バーナ１による風呂の追い焚き燃焼動作（バーナ１の燃焼運転）をオンオフ制御すべく制御信号を燃焼制御部１４０へ出力する。
【００７８】
すなわち、オンオフ制御部１１２は、バーナ１による風呂の追い焚き燃焼のみが行われるときは、次の（１）および（２）の処理を行う。
【００７９】
（１）バーナ１による風呂の追い焚き燃焼動作がオン状態のときに、比較部１１１によって、温度センサＳ１，Ｓ２による検出の結果（検出温度値ＴＺ１，ＴＺ２）が第１の設定温度値以上であると判断された場合、または、温度センサＳ３による検出の結果（検出温度値ＴＺ３）が第２の設定温度値以上であると判断された場合は、バーナ１による風呂の追い焚き燃焼動作（バーナ１の燃焼運転）をオン状態からオフ状態に変化させる制御を行う。
【００８０】
（２）バーナ１による風呂の追い焚き燃焼動作がオフ状態になった後に、比較部１１１によって、温度センサＳ１，Ｓ２による検出の結果および温度センサＳ３による検出の結果がともに第２の設定温度値以下であると判断された場合は、バーナ１による風呂の追い焚き燃焼動作をオフ状態からオン状態に変化させる制御を行う。
【００８１】
駆動制御部１３０は、制御手段１１０（のオンオフ制御部１１２）からの制御信号に基づいて循環ポンプ９を駆動制御する。
【００８２】
燃焼制御部１４０は、制御手段１１０（のオンオフ制御部１１２）からの制御信号に基づいて、バーナ１の燃焼運転の開始および停止など、追い焚き運転時のバーナ１の燃焼運転を制御する。
【００８３】
ちなみに、追い焚き燃焼動作がオン状態に変化されたときは（バーナ１の燃焼運転が開始されたときは）、燃焼制御部１４０の制御に従って、ガス管１ａに設けられる電磁開閉弁（図示せず）が開いてバーナ１に燃料ガスが供給されるとともに、バーナ１の下方側に配置される燃焼ファン（図示せず）が作動してバーナ１に燃焼用空気が供給され、さらに、バーナ１近傍に設けられる点火手段（図示せず）によってバーナ１が点火される。これにより、バーナ１による追い焚き燃焼が開始される。
【００８４】
これに対し、追い焚き燃焼動作がオフ状態に変化されたときは（バーナ１の燃焼運転が停止されたときは）、燃焼制御部１４０の制御に従って、ガス管１ａに設けられる電磁開閉弁（図示せず）が閉じてバーナ１への燃料ガスの供給が停止される。勿論、燃焼ファン（図示せず）も停止される。これにより、バーナ１による追い焚き燃焼が停止される。
【００８５】
次に、一缶二水路給湯システムの制御装置１００による追い焚き単独運転の処理動作について、図３〜図６を参照して説明する。
【００８６】
図３は、追い焚き単独運転時の処理動作を示すフローチャートであり、図４〜図６は追い焚き単独運転時の追い焚き燃焼のオンオフ制御を説明する図である。
【００８７】
なお、図４〜図６において、ＴＺ１，ＴＺ２で示される実線の曲線（特性）は、追い焚き燃焼のときに、時間ｔの経過とともに変化する温度センサＳ１，Ｓ２による検出の結果（検出温度値）を示し、ＴＺ３で示される点線の曲線（特性）は、時間ｔの経過とともに変化する温度センサＳ３による検出の結果（検出温度値）を示している。
【００８８】
また、記号●はバーナ１の追い焚き燃焼オンのタイミングを示し、記号○はバーナ１の追い焚き燃焼オフのタイミングを示している。
【００８９】
また、第１の設定温度値は、バーナ１の追い焚き燃焼がオンのときに、温度センサＳ１による検出の結果（ＴＺ１）、および温度センサＳ２による検出の結果（ＴＺ２）を基に、バーナ１の追い焚き燃焼をオフさせるための基準温度（燃焼ＯＦＦ基準温度）を示している。
【００９０】
さらに、第２の設定温度値は、バーナ１の追い焚き燃焼がオンのときに、温度センサＳ３による検出の結果（ＴＺ３）を基に、バーナ１の追い焚き燃焼をオフさせるための基準温度（燃焼ＯＦＦ基準温度）を示すとともに、バーナ１の追い焚き燃焼がオフのときに、温度センサＳ１による検出の結果（ＴＺ１）、温度センサＳ２による検出の結果（ＴＺ２）および温度センサＳ３による検出の結果（ＴＺ３）を基に、バーナ１の追い焚き燃焼をオンさせるための基準温度（燃焼ＯＮ基準温度）を示している。
【００９１】
さて、リモコン２００の追い焚き単独運転設定部２２０によって追い焚き単独運転モードが設定されたときは、その旨が制御装置１００に入力される。このとき、給湯弁７および注湯弁１２は閉状態になっているものとする。
【００９２】
すると、制御装置１００では、図３に示すように、制御手段１１０がリモコン２００からの追い焚き単独運転モードを示すデータを受け取ると（ステップＳ１０１）、オンオフ制御部１１２は、循環ポンプ９を駆動させる制御信号を駆動制御部１３０へ出力するとともに、風呂温度センサ１０からの検出結果（風呂検出温度値）を取り込んで、浴槽８内の浴槽水の水温の温度差Ｃ＝「風呂設定温度値」−「風呂検出温度値」を演算する（ステップＳ１０２）。
【００９３】
駆動制御部１３０は、オンオフ制御部１１２からの制御信号に基づいて循環ポンプをオン（駆動）する。これにより、浴槽８内の浴槽水（湯）は、循環ポンプ９を介して追い焚き配管５の戻り管５ａおよび行き管５ｂを経て、再度浴槽８に戻り、浴槽８および追い焚き配管５で形成される循環路を循環する。
【００９４】
次に、オンオフ制御部１１２は、ステップＳ１０２での演算の結果（温度差Ｃ）が予め設定された値（例えば０．５℃）以上か否かを判断し（ステップＳ１０３）、温度差Ｃが予め設定された値（例えば０．５℃）以上である場合は、バーナ１による風呂の追い焚き燃焼動作をオン状態にすべく制御信号を燃焼制御部１４０へ出力する。
【００９５】
すると、燃焼制御部１４０は、オンオフ制御部１１２からの制御信号に基づいて、バーナ１による風呂の追い焚き燃焼動作を開始させる（ステップＳ１０４）。これにより、追い焚き燃焼がオンされることになる。
【００９６】
追い焚き燃焼がオンされると、制御手段１１０では、比較部１１１は、定期的に、温度センサＳ１，Ｓ２，Ｓ３による検出の結果（検出温度値ＴＺ１，ＴＺ２，ＴＺ３）を取り込むとともに、メモリ部１２０から第１の設定温度値（例えば８５℃）および第２の設定温度値（例えば９０℃）を読み出し、前記取り込んだ各検出温度値と、前記読み出した第１の設定温度値または第２の設定温度値とを比較するとともに、これらの検出温度値が第１の設定温度値または第２の設定温度値以上か否かを判断する（ステップＳ１０５）。
【００９７】
具体的には、比較部１１１は、検出温度値ＴＺ１，ＴＺ２と第１の設定温度値（例えば８５℃）とを比較するとともに、検出温度値ＴＺ３と第２の設定温度値（例えば９０℃）とを比較し、これらの検出温度値が設定温度値以上か否かを判断する。
【００９８】
すなわち、「ＴＺ１≧８５℃、または、ＴＺ２≧８５℃、または、ＴＺ３≧９０℃」の第１の関係式が成立するか否かが判断される。
【００９９】
上記第１の関係式が成立するのは、バーナ１の追い焚き燃焼により１次熱交換器２が加熱され、１次熱交換器２と対応して密着している給湯配管４が加熱されることにより、温度センサＳ１による検出の結果である検出温度値ＴＺ１または温度センサＳ２による検出の結果である検出温度値ＴＺ２が設定温度値８５℃以上になった場合、または、潜熱回収により２次熱交換器３が加熱され、２次熱交換器３と対応して密着している給湯配管４が加熱されることにより、温度センサＳ３による検出の結果である検出温度値ＴＺ３が設定温度値９０℃以上になった場合である。
【０１００】
ところで、比較部１１１によって上記第１の関係式が成立したと判断された場合は、その旨がオンオフ制御部１１２へ出力される。
【０１０１】
制御手段１１０では、オンオフ制御部１１２は、比較部１１１からの上記第１の関係式が成立した旨を受け取った場合は、バーナ１による風呂の追い焚き燃焼動作をオフ状態にすべく制御信号を燃焼制御部１４０へ出力する。すると、燃焼制御部１４０は、オンオフ制御部１３２からの制御信号に基づいて、バーナ１による風呂の追い焚き燃焼動作を停止させる（ステップＳ１０６）。これにより、追い焚き燃焼がオフされることになる。なお、このとき、循環ポンプ９はオンの状態が維持されている。
【０１０２】
具体的には、例えば図４〜図６において、時点ｔ１で、１次熱交換器２に対応して配設された温度センサＳ１または温度センサＳ２によって検出された給湯配管４内の水の温度が第１の設定温度値８５℃に達したので、バーナ１の追い焚き燃焼はオフされる。
【０１０３】
次に、制御手段１１０では、比較部１１１が、上記第１の関係式が成立する旨をオンオフ制御部１３２へ出力した時点、すなわち、１次熱交換器２に対応する給湯配管４の内部の水の温度が設定温度値８５℃に達した時点、または、２次熱交換器３に対応する給湯配管４の内部の水の温度が設定温度値９０℃に達した時点を基準にして、バーナオン禁止時間として予め設定される設定時間Ｔ１が経過したか否かを判断する（ステップＳ１０７）。
【０１０４】
比較部１１１は、設定時間Ｔ１を経過しない場合には設定時間Ｔ１を経過するまで待機し、一方、設定時間Ｔ１を経過した場合は、定期的に、温度センサＳ１，Ｓ２，Ｓ３による検出の結果（検出温度値ＴＺ１，ＴＺ２，ＴＺ３）を取り込んで、これら各検出温度値と、既にメモリ部１２０から読み出している第２の設定温度値（例えば９０℃）とを比較するとともに、これらの検出温度値が第２の設定温度値以下か否かを判断する（ステップＳ１０８）。
【０１０５】
具体的には、比較部１１１は、検出温度値ＴＺ１，ＴＺ２，ＴＺ３と第２の設定温度値（例えば９０℃）とを比較し、これら各検出温度値が第２の設定温度値９０℃以下であるか否かを判断する。
【０１０６】
すなわち、「ＴＺ１≦９０℃、かつ、ＴＺ２≦９０℃、かつ、ＴＺ３≦９０℃」の第２の関係式が成立するか否かが判断される。
【０１０７】
上記第２の関係式が成立するのは、バーナ１の追い焚き燃焼がオフすることにより、加熱された１次熱交換器２の温度が低下し、さらに１次熱交換器２と対応して密着している給湯配管４の温度が低下して、温度センサＳ１による検出の結果である検出温度値ＴＺ１、および温度センサＳ２による検出の結果である検出温度値ＴＺ２がともに第２の設定温度値９０℃以下になり、かつ、バーナ１の追い焚き燃焼がオフしたことに起因して潜熱が低下して２次熱交換器３の温度が低下し、さらに２次熱交換器３と対応して密着している給湯配管４の温度が低下して、温度センサＳ３による検出の結果である検出温度値ＴＺ３が第２の設定温度値９０℃以下になった場合である。
【０１０８】
ところで、比較部１１１によって上記第２の関係式が不成立であると判断された場合には、上記第２の関係式が成立するまでステップＳ１０８を繰り返す。すなわち、比較部１１１によって、温度センサＳ１，Ｓ２，Ｓ３による検出の結果が取り込まれて、上記第２の関係式が成立するか否かが判断される。そして、比較部１１１によって上記第２の関係式が成立したと判断された場合は、その旨がオンオフ制御部１１２へ出力される。
【０１０９】
オンオフ制御部１１２は、比較部１１１からの上記第２の関係式が成立した旨を受け取った場合は、バーナ１による風呂の追い焚き燃焼動作をオン状態にすべく制御信号を燃焼制御部１４０へ出力する。すると、燃焼制御部１４０は、オンオフ制御部１１２からの制御信号に基づいて、停止中のバーナ１による風呂の追い焚き燃焼動作を開始させる（ステップＳ１０９）。これにより、追い焚き燃焼がオンされることになる。
【０１１０】
具体的には、例えば、図４〜図６において、時点ｔ３で、１次熱交換器２に対応して配設された温度センサＳ１，Ｓ２、および２次熱交換器３に対応して配設された温度センサＳ３のそれぞれによって検出された給湯配管４内の水の温度が第２の設定温度値９０℃以下に低下したので、バーナ１の追い焚き燃焼はオンされる。
【０１１１】
次に、制御手段１１０では、比較部１１１が、上記第２の関係式が成立する旨をオンオフ制御部１１２へ出力した時点、すなわち、１次熱交換器２に対応する給湯配管４の内部の水の温度が第２の設定温度値９０℃以下となり、かつ、２次熱交換器３に対応する給湯配管４の内部の水の温度が設定温度値９０℃以下となった時点を基準にして、バーナオフ禁止時間として予め設定される設定時間Ｔ２が経過したか否かを判断する（ステップＳ１１０）。
【０１１２】
比較部１１１は、ステップＳ１１０において、設定時間Ｔ２を経過していないと判断した場合は、温度センサＳ３による検出の結果を取り込んで、この検出の結果つまり検出温度値ＴＺ３は第２の設定温度値９０℃以上であるか否か、すなわち「ＴＺ３≧９０℃」の第３の関係式が成立するか否かを判断する（ステップＳ１１１）。
【０１１３】
上記第３の関係式が成立するのは、バーナ１の追い焚き燃焼がオンされた後、２次熱交換器３と対応して密着している給湯配管４の温度が上昇して、温度センサＳ３による検出の結果である検出温度値ＴＺ３が第２の設定温度値９０℃以上になった場合である。
【０１１４】
ここで、比較部１１１によって上記第３の関係式が不成立であると判断された場合には、ステップＳ１１０に戻り、一方、比較部１１１によって上記第３の関係式が成立したと判断された場合、すなわち検出温度値ＴＺ３が９０℃以上であると判断された場合は、ステップＳ１０６に戻り、このステップＳ１０６〜Ｓ１１０が実行される。
【０１１５】
具体的には、例えば図６において、時点ｔ３から時点ｔ５までの設定時間Ｔ２内の時点ｔ４で、２次熱交換器３に対応して配設された温度センサＳ３によって検出された給湯配管４内の水の温度が第２の設定温度値９０℃に達した場合（ＴＺ３＝９０℃の場合）は、ステップＳ１０６でバーナ１の追い焚き燃焼はオフされ、その後、ステップＳ１０７〜Ｓ１１０が実行される。
【０１１６】
ところで、ステップＳ１１０において設定時間Ｔ２を経過したと判断した比較部１１１がその旨をオンオフ制御部１１２へ通知すると、オンオフ制御部１１２は、風呂温度センサ１０からの検出結果（風呂検出温度値）を取り込んで、浴槽水の水温の温度差Ｃ＝「風呂設定温度値」−「風呂検出温度値」を演算し、この演算の結果である温度差Ｃが予め設定された値（例えば０．５℃）以上か否かを判断する（ステップＳ１１２）。
【０１１７】
そして、ステップＳ１１２において温度差Ｃが予め設定された値（例えば０．５℃）よりも小さいと判断したオンオフ制御部１１２は、バーナ１による風呂の追い焚き燃焼動作をオフ状態にすべく制御信号を燃焼制御部１４０へ出力するとともに（ステップＳ１１３）、循環ポンプ９の駆動を停止すべく制御信号を駆動制御部１３０へ出力する（ステップＳ１１４）。
【０１１８】
これにより、バーナ１による追い焚き燃焼動作が停止（追い焚き燃焼はオフ）されるとともに、循環ポンプ９の駆動が停止される。
【０１１９】
これに対し、ステップＳ１１２において温度差Ｃが予め設定された値（例えば０．５℃）以上であると判断された場合は、上記ステップＳ１０５に戻る。
【０１２０】
なお、上記ステップＳ１０３において温度差Ｃが予め設定された値（例えば０．５℃）よりも小さいと判断された場合は、ステップＳ１１４に進む。
【０１２１】
上記ステップＳ１０５において、比較部１１１によって上記第１の関係式が不成立であると判断された場合は、その旨がオンオフ制御部１１２へ出力される。すると、オンオフ制御部１１２は、ステップＳ１０２での演算の結果（温度差Ｃ）が予め設定された値（例えば０．５℃）以上か否かを判断し（ステップＳ１１５）、温度差Ｃが予め設定された値（例えば０．５℃）以上である場合にはステップＳ１０５に戻り、一方、温度差Ｃが予め設定された値（例えば０．５℃）未満の場合はステップＳ１１３に進む。
【０１２２】
本実施の形態１において、風呂の追い焚き燃焼動作をオンオフ制御する理由について説明する。
【０１２３】
弱い火力でバーナ１の追い焚き燃焼を行った場合は、循環ポンプ９が駆動されることなく、浴槽８内の浴槽水の温度が風呂設定温度に達するまで、追い焚き燃焼が継続されるので、追い焚き配管５内の浴槽水の温度が徐々に高まり、その結果、その浴槽水（水道水）に含まれている消毒剤が追い焚き配管５の内壁に付着することになる。
【０１２４】
このように追い焚き配管５の内壁に消毒剤が付着すると、追い焚き燃焼に伴い加熱された１次熱交換器２の熱が、追い焚き配管５を介して当該追い焚き配管５内の水（湯）に十分に伝達されないので、浴槽８内の浴槽水の温度が風呂設定温度に達するまで、多くの時間を要する。
【０１２５】
そのため、本実施の形態１では、循環ポンプ９を駆動しつつ、強い火力でバーナ１の追い焚き燃焼をオンオフ制御するようにしている。
【０１２６】
これにより、浴槽水（水道水）に含まれている消毒剤が追い焚き配管５の内壁に付着するのを防止することができ、しかも追い焚き燃焼に伴い加熱された１次熱交換器２の熱が、追い焚き配管５を介して当該追い焚き配管５内の水（湯）に十分に伝達され、迅速に浴槽８内の浴槽水の温度が風呂設定温度に達する。
【０１２７】
また、強い火力でバーナ１の追い焚き燃焼をオンオフ制御した場合の方が、弱い火力でバーナ１の追い焚き燃焼を継続する場合よりも、消費熱量が少なく経済的である。
【０１２８】
以上説明したように、本実施の形態１によれば、制御手段１１０は、（１）バーナ（燃焼手段）１による風呂の追い焚き燃焼動作がオン状態のときに、温度センサ（第１の温度検出手段）Ｓ１，Ｓ２よって検出される給湯配管４の内部の水の温度が予め設定される第１の設定温度値に達した場合、または、温度センサ（第２の温度検出手段）Ｓ３によって検出される給湯配管４の内部の水の温度が予め設定され第１の設定温度値よりも高い第２の設定温度値に達した場合は、バーナ１による風呂の追い焚き燃焼動作をオン状態からオフ状態に変化させる制御を行う、（２）バーナ１による風呂の追い焚き燃焼動作がオフ状態になった後に、温度センサＳ１，Ｓ２および温度センサＳ３のそれぞれによって検出される給湯配管４の内部の水の温度がそれぞれ第２の設定温度値以下に低下した場合は、バーナ１による風呂の追い焚き燃焼動作をオフ状態からオン状態に変化させる制御を行う、ようにしているので、当該追い焚き燃焼に起因して潜熱回収する２次熱交換器の熱による給湯配管への入熱量を制御することができ、これにより風呂の追い焚き燃焼を単独で行っている場合であっても、潜熱回収用の２次熱交換器と接する給湯配管の水の沸騰を回避させることができる。
【０１２９】
（実施の形態２）
【０１３０】
図７は本発明の実施の形態２である一缶二水路給湯システムの概略構成を示す模式図、図８は図７に示した一缶二水路給湯システムの制御系の構成を示すブロック図、図９は実施の形態２における追い焚き単独運転時の処理動作を示すフローチャートである。
【０１３１】
図７に示す一缶二水路給湯システムは、図１に示した実施の形態１の一缶二水路給湯システムと同様の構成になっている。そこで、ここではその説明については省略する。
【０１３２】
図８は、実施の形態２の一缶二水路給湯システムの制御系のブロック図を示したものであり、このブロック図は、図２に示した実施の形態１の一缶二水路給湯システムのブロック図において、制御手段１１０に代替して制御手段３００を設けた構成になっている。なお、図８において、図２に示した構成要素と同様の機能を果たす部分には同一の符号を付している。
【０１３３】
注湯弁（開閉手段）１２は、上述したように、給湯配管４の出口側配管（給湯側配管）４ｂと追い焚き配管５の戻り管５ａとを連通する通路としての注湯管１１に設けられ、後述する制御手段３００によって開閉制御される。
【０１３４】
制御手段３００は、判断部（判断手段）３１０と開閉制御部（開閉制御手段）３２０とを有し、バーナ（燃焼手段）１による風呂の追い焚き燃焼のみが行われるときは、温度センサ（第１の温度検出手段）Ｓ１，Ｓ２による検出の結果（検出温度値ＴＺ１，ＴＺ２）および温度センサ（第２の温度検出手段）Ｓ３による検出の結果（検出温度値ＴＺ３）と予め設定された設定温度値とに基づいて、浴槽８内に注水すべく注湯弁１２を開閉制御する。
【０１３５】
また、制御手段３００は、駆動制御１３０を介して循環ポンプ９を駆動制御するとともに、燃焼制御部１４０を介してバーナ１による風呂の追い焚き燃焼動作（バーナ１の燃焼運転）を制御する。
【０１３６】
なお、この実施の形態２では、バーナ１による風呂の追い焚き燃焼動作のオンオフ制御は行われない。
【０１３７】
判断部（判断手段）３１０は、温度センサＳ１，Ｓ２による検出の結果（ＴＺ１、ＴＺ２）が予め設定された第１の設定温度値（例えば８５℃）に達しているか否かを判断するとともに、温度センサＳ３による検出の結果（ＴＺ３）が前記第１の設定温度値よりも大きい第２の設定温度値（例えば９０℃）に達しているか否かを判断する。
【０１３８】
開閉制御部（開閉制御手段）３２０は、判断部３１０によって温度センサＳ１，Ｓ２による検出の結果が第１の設定温度値（例えば８５℃）に達していると判断された場合、または、温度センサＳ３による検出の結果が第２の設定温度値（例えば９０℃）に達していると判断された場合は、注湯弁１２を開状態に制御する。
【０１３９】
次に、一缶二水路給湯システムの制御装置１００による追い焚き単独運転の処理動作について、図９を参照して説明する。
【０１４０】
リモコン２００の追い焚き単独運転設定部２２０によって追い焚き単独運転モードが設定されたときは、その旨が制御装置１００に入力される。このとき、給湯弁７および注湯弁１２は閉状態になっているものとする。
【０１４１】
すると、制御装置１００では、図９に示すように、制御手段３００は、リモコン２００からの追い焚き単独運転モードを示すデータを受け取ると（ステップＳ２０１）、循環ポンプ９を駆動させる制御信号を駆動制御部１３０へ出力するとともに、風呂温度センサ１０からの検出結果（風呂検出温度値）を取り込んで、浴槽８内の浴槽水の水温の温度差Ｃ＝「風呂設定温度値」−「風呂検出温度値」を演算する（ステップＳ２０２）。
【０１４２】
駆動制御部１３０は、制御手段３００からの制御信号に基づいて循環ポンプをオン（駆動）する。これにより、浴槽８内の浴槽水（湯）は、循環ポンプ９を介して追い焚き配管５の戻り管５ａおよび行き管５ｂを経て、再度浴槽８に戻り、浴槽８および追い焚き配管５で形成される循環路を循環する。
【０１４３】
次に、制御手段３００は、ステップＳ２０２での演算の結果（温度差Ｃ）が予め設定された値（例えば０．５℃）以上か否かを判断し（ステップＳ２０３）、温度差Ｃが予め設定された値（例えば０．５℃）以上である場合は、バーナ１による風呂の追い焚き燃焼動作をオン状態にすべく制御信号を燃焼制御部１４０へ出力する。
【０１４４】
すると、燃焼制御部１４０は、制御手段３００からの制御信号に基づいて、バーナ１による風呂の追い焚き燃焼動作を開始させる（ステップＳ２０４）。これにより、追い焚き燃焼がオンされることになる。
【０１４５】
追い焚き燃焼がオンされると、制御手段３００では、判断部３１０は、温度センサＳ１，Ｓ２，Ｓ３による検出の結果（検出温度値ＴＺ１，ＴＺ２，ＴＺ３）を取り込むとともに、メモリ部１２０から第１の設定温度値（例えば８５℃）および第２の設定温度値（例えば９０℃）を読み出し、前記取り込んだ各検出温度値と、前記読み出した第１の設定温度値または第２の設定温度値とを比較するとともに、これらの検出温度値が第１の設定温度値または第２の設定温度値以上か否かを判断する（ステップＳ２０５）。
【０１４６】
具体的には、判断部３１０は、検出温度値ＴＺ１，ＴＺ２が第１の設定温度値（例えば８５℃）以上か否かを判断するとともに、検出温度値ＴＺ３が第２の設定温度値（例えば９０℃）以上か否かを判断する。
【０１４７】
すなわち、「ＴＺ１≧８５℃、または、ＴＺ２≧８５℃、または、ＴＺ３≧９０℃」の関係式が成立するか否かが判断される。
【０１４８】
上記関係式が成立するのは、バーナ１の追い焚き燃焼により１次熱交換器２が加熱され、１次熱交換器２と対応して密着している給湯配管４が加熱されることにより、温度センサＳ１による検出の結果である検出温度値ＴＺ１または温度センサＳ２による検出の結果である検出温度値ＴＺ２が設定温度値８５℃以上になった場合、または、潜熱回収により２次熱交換器３が加熱され、２次熱交換器３と対応して密着している給湯配管４が加熱されることにより、温度センサＳ３による検出の結果である検出温度値ＴＺ３が設定温度値９０℃以上になった場合である。
【０１４９】
ところで、判断部３１０によって上記関係式が成立すると判断された場合は、その旨が開閉制御部３２０へ出力される。
【０１５０】
開閉制御部３２０は、判断部３１０からの上記関係式が成立した旨を受け取った場合は、少量注水制御を行う（ステップＳ２０６）。このとき、バーナ１の給湯燃焼はオフの状態が維持されている。
【０１５１】
この少量注水制御においては、開閉制御部３２０は、少量（所定量）の水が、注湯管１１および追い焚き配管５を介して浴槽８内に注水されるように、閉状態の注湯弁１２を開状態にし、所定のタイミングで閉状態にする、いわゆる開閉制御する。
【０１５２】
ここで、所定のタイミングとしては、（１）予め設定される所定量の水が浴槽８内に注水された時点、（２）予め設定された一定時間が経過した時点、（３）例えば「ＴＺ１≧８５℃、または、ＴＺ２≧８５℃、または、ＴＺ３≧９０℃」の関係式が不成立となった時点など、を採用すればよい。
【０１５３】
このようにして浴槽８に対し微少量の水（湯）が注水されるべく注湯弁１２が少し開くと、給湯配管４の出口側配管（給湯側配管）４ｂ内に滞留している水（湯）が、注湯管１１、注湯弁１２、戻り管５ａ、および行き管５ｂを経て浴槽８内に注水される。
【０１５４】
このステップＳ２０５において微少量の水（湯）が浴槽８内に注水されるときは、注水された水（湯）の量に応じて、１次熱交換器２および２次熱交換器３に対応して配設されている給湯配管４内の湯が、出口側配管（給湯側配管）４ｂ側に流出するとともに、入口側配管（給水側配管）４ａに給水された水が、２次熱交換器３に対応して配置されている給湯配管４側に流入する。
【０１５５】
すなわち、図７において、入口側配管４ａに給水された水は、給湯配管４における部位＃１、部位＃２、部位＃３の方向に流通する。２次熱交換器３に対応して配設されている給湯配管４の内部の水（湯）は、給湯配管４における部位＃４、部位＃５の方向に流通し、１次熱交換器２に対応して配設されている給湯配管４の内部の水（湯）は、給湯配管４における部位＃６、部位＃７、および注湯管１１の方向に流通する。注湯管１１内の水（湯）は、追い焚き配管５の戻り管５ａにおける部位＃８、部位＃９の方向に流通する。１次熱交換器２に対応して配設されている追い炊き配管５の内部の水（湯）は、行き管５ｂにおける部位＃１０、浴槽８の方向に流通する。
【０１５６】
これにより、バーナ１の追い焚き燃焼のときに、１次熱交換器２および２次熱交換器３に対応して配設されている給湯配管４内の高温の湯と、入口側配管４ａに給水された水とが入れ替わることになるので、２次熱交換器３に対応して配設されている給湯配管４内の水（湯）が沸騰することはない。
【０１５７】
ところで、開閉制御部３２０が上記ステップＳ２０６を終了すると、制御手段３００は、風呂温度センサ１０からの検出結果（風呂検出温度値）を取り込んで、浴槽水の水温の温度差Ｃ＝「風呂設定温度値」−「風呂検出温度値」を演算し、この演算の結果である温度差Ｃが予め設定された値（例えば０．５℃）以上か否かを判断する（ステップＳ２０７）。
【０１５８】
ステップＳ２０７において温度差Ｃが予め設定された値（例えば０．５℃）よりも小さいと判断した制御手段３００は、バーナ１による風呂の追い焚き燃焼動作をオフ状態にすべく制御信号を燃焼制御部１４０へ出力するとともに（ステップＳ２０８）、循環ポンプ９の駆動を停止すべく制御信号を駆動制御部１３０へ出力する（ステップＳ２０９）。
【０１５９】
これにより、バーナ１による追い焚き燃焼動作が停止（追い焚き燃焼はオフ）されるとともに、循環ポンプ９の駆動が停止される。
【０１６０】
なお、上記ステップＳ２０３において温度差Ｃが予め設定された値（例えば０．５℃）よりも小さいと判断された場合は、ステップＳ２０９に進む。
【０１６１】
なお、ステップＳ２０７において温度差Ｃが予め設定された値（例えば０．５℃）以上であると判断された場合は、上記ステップＳ２０５に戻る。
【０１６２】
上記ステップＳ２０５において、判断部３１０によって上記関係式が不成立であると判断された場合は、その旨が開閉制御部３２０へ出力される。すると、開閉制御部３２０は、ステップＳ２０２での演算の結果（温度差Ｃ）が予め設定された値（例えば０．５℃）以上か否かを判断し（ステップＳ２１０）、温度差Ｃが予め設定された値（例えば０．５℃）以上である場合にはステップＳ２０５に戻り、一方、温度差Ｃが予め設定された値（例えば０．５℃）未満の場合はステップＳ２０８に進む。
【０１６３】
なお、本実施の形態２においては、風呂の追い焚き燃焼のみが行われるときは、上述したように場合によっては浴槽８内に注水が行われるようになっているが、この場合、注水量が微少なので、浴槽水位の上昇は微小であり何ら問題はない。
【０１６４】
以上説明したように、本実施の形態２によれば、制御手段３００は、バーナ（燃焼手段）１による風呂の追い焚き燃焼のみが行われるときは、温度センサ（第１の温度検出手段）Ｓ１，Ｓ２による検出の結果（ＴＺ１，ＴＺ２）および温度センサ（第２の温度検出手段）Ｓ３による検出の結果（ＴＺ３）と予め設定された設定温度値とに基づいて、浴槽８内に注水すべく注湯弁（開閉手段）１２を開閉制御するようにしているので、給湯配管４内の高温の水（湯）が、給湯配管４の出口側配管（給湯側配管）４ｂおよび追い焚き配管５に向けて流通し、しかも入口側配管（給水側配管）４ａから水が給水されることにより、風呂の追い焚き燃焼に起因して潜熱回収する２次熱交換器３によって加熱される給湯配管４に低温の水が流入するので、風呂の追い焚き燃焼を単独で行っている場合であっても、潜熱回収用の２次熱交換器３と接する給湯配管４の水（湯）の沸騰を回避させることができる。
【０１６５】
（実施の形態３）
【０１６６】
図１０は本発明の実施の形態３である一缶二水路給湯システムの概略構成を示す模式図、図１１は図１０に示した一缶二水路給湯システムの制御系の構成を示すブロック図、図１２は実施の形態３における追い焚き単独運転時の処理動作を示すフローチャートである。
【０１６７】
図１０に示す一缶二水路給湯システムは、図１に示した実施の形態１の一缶二水路給湯システムの構成において、循環ポンプ６０を追加した構成になっている。図１０において、図１に示した構成要素と同様の機能を果たす部分には同一の符号を付している。
【０１６８】
循環ポンプ６０は、給湯配管４の入口側配管（給水側配管）４ａと給湯配管４の出口側配管（給湯側配管）４ｂとを連通する通路としてのバイパス間６に設けられ、駆動制御されることにより給湯配管４内の水（湯）を強制に循環させる。この場合、給湯弁７および注湯弁１２は閉状態になっている。
【０１６９】
循環ポンプ６０は、給湯配管４内の水（湯）が、例えば図１０の給湯配管４における部位＃１、部位＃２、部位＃３、部位＃４、部位＃５、部位＃６、部位＃７、および部位＃１の循環方向に循環されるように回転駆動する。
【０１７０】
また、給湯配管４の入口側配管（給水側配管）４ａにおける所定の区間の配管４０と、追い炊き配管５の戻り管５ａにおける所定の区間の配管５０とは密着されている。
【０１７１】
図１１は、実施の形態３の一缶二水路給湯システムの制御系のブロック図を示したものであり、このブロック図は、図８に示した実施の形態２の一缶二水路給湯システムのブロック図において、開閉制御部３２０を削除し、駆動制御部３３０を追加した構成になっている。なお、図１１において、図８に示した構成要素と同様の機能を果たす部分には同一の符号を付している。
【０１７２】
本実施の形態３においては、制御手段３００は、バーナ（燃焼手段）１による風呂の追い焚き燃焼のみが行われるときは、温度センサ（第１の温度検出手段）Ｓ１，Ｓ２による検出の結果（検出温度値ＴＺ１，ＴＺ２）および温度センサ（第２の温度検出手段）Ｓ３による検出の結果（検出温度値ＴＺ３）と予め設定された設定温度値とに基づいて、給湯配管４の内部の水を循環させるべく循環ポンプ（循環手段）６０を駆動制御する。
【０１７３】
駆動制御部（駆動制御手段）３３０は、判断部３１０によって温度センサＳ１，Ｓ２による検出の結果が第１の設定温度値（例えば８５℃）に達していると判断された場合、または、温度センサＳ３による検出の結果が第２の設定温度値（例えば９０℃）に達していると判断された場合は、給湯配管４の内部の水を循環させるべく循環ポンプ（循環手段）６０を駆動制御（回転駆動制御）する。
【０１７４】
なお、この実施の形態３では、バーナ１による風呂の追い焚き燃焼動作のオンオフ制御は行われない。
【０１７５】
次に、一缶二水路給湯システムの制御装置１００による追い焚き単独運転の処理動作について、図１２を参照して説明する。
【０１７６】
リモコン２００の焚き単独運転設定部２２０によって追い焚き単独運転モードが設定されたときは、その旨が制御装置１００に入力される。このとき、給湯弁７および注湯弁１２は閉状態になっているものとする。
【０１７７】
制御装置１００では、図１２に示すように、図９に示したステップＳ２０１〜Ｓ２０５の場合と同様の処理が実行される（ステップＳ３０１〜Ｓ３０５）。
【０１７８】
そして、判断部３１０によって、ステップＳ３０５において「ＴＺ１≧８５℃、または、ＴＺ２≧８５℃、または、ＴＺ３≧９０℃」の関係式が成立したと判断された場合は、その旨が駆動制御部３３０へ出力される。
【０１７９】
駆動制御部３３０は、判断部３１０からの上記関係式が成立した旨を受け取った場合は、給湯配管系の循環ポンプ６０のＯＮ／ＯＦＦ制御つまり回転駆動／回転停止制御を行う（ステップＳ３０６）。このとき、バーナ１の給湯燃焼はオフの状態が維持されている。
【０１８０】
この循環ポンプ６０のＯＮ／ＯＦＦ制御においては、駆動制御部３３０は、ＯＦＦ状態の循環ポンプ６０をＯＮ（回転駆動）制御し、所定のタイミングでＯＦＦ（回転停止）制御する。
【０１８１】
ここで、所定のタイミングとしては、（ａ）予め設定された一定時間が経過した時点、（ｂ）例えば「ＴＺ１≧８５℃、または、ＴＺ２≧８５℃、または、ＴＺ３≧９０℃」の関係式が不成立となった時点など、を採用すればよい。
【０１８２】
このようにして循環ポンプ６０が回転駆動することで、給湯配管４の水（湯）は、次の（１）〜（３）の如く、給湯配管４内を循環する。
【０１８３】
（１）潜熱回収を行っている２次熱交換器３に対応して配設されている給湯配管４内に滞留している湯（高温の湯）が、図１０に示す給湯配管４における部位＃６から部位＃７の方向、つまり出口側配管（給湯側配管）４ｂの方向に向かって流通する。
【０１８４】
（２）バーナ１の追い炊き燃焼により加熱されている１次熱交換器２に対応して配設されている給湯配管４内に滞留している湯（高温の湯）が、図１０に示す給湯配管４における部位＃４から部位＃５の方向、つまり２次熱交換器３に対応して配設されている給湯配管４の方向に向かって流通する。
【０１８５】
（３）給湯配管４の出口側配管（給湯側配管）４ｂ内に滞留している湯（低温の湯）が、図１０に示す給湯配管４における部位＃２から部位＃３の方向、つまり１次熱交換器２に対応して配設されている給湯配管４の方向に向かって流通する。
【０１８６】
すなわち、追い炊き燃焼がオンのときに、１次熱交換器２および２次熱交換器３に対応して配設されている給湯配管４内の高温の湯が、これら２つの熱交換器より所定距離離間して設けられている給湯配管４、例えば入口側配管（給水側配管）４ａおよび出口側配管（給湯側配管）４ｂに向けて流通して、これらの配管によって冷却される。
【０１８７】
しかも、給湯配管４の入口側配管（給水側配管）４ａにおける配管４０と、追い炊き配管５の戻り管５ａにおける配管５０とが密着されているので、高温の湯（ＴＺ３≧９０℃）が入口側配管（給水側配管）４ａに流入してきた場合には、追い炊き配管５の戻り管５ａが、入口側配管（給水側配管）４ａを介して高温の湯（ＴＺ３≧９０℃）の熱を奪うことにより、当該入口側配管４ａ内の湯は、入口側配管４ａの配管４０と戻り管５ａの配管５０とが密着されていない場合と比較して、より一層、所定の温度に冷却されることになる。
【０１８８】
そして、入口側配管４ａおよび出口側配管４ｂにて冷却された湯（水）が、２次熱交換器３に対応して配設されている給湯配管４内に向けて流通する。
【０１８９】
換言すれば、温度センサＳ３による検出の結果（ＴＺ３）が第２の設定温度値９０℃に達した場合（ＴＺ３≧９０℃の関係式が成立する場合）は、循環ポンプ６０が回転駆動することで給湯配管４内の水（湯）が強制循環されるので、潜熱回収を行っている２次熱交換器３に対応して配設されている給湯配管４内に滞留している湯（ＴＺ３≧９０℃）が入口側配管（給水側配管）４ａの方向に向けて流通する一方、入口側配管（給水側配管）４ａおよび出口側配管（給湯側配管）４ｂにて冷却された湯（水）が、２次熱交換器３に対応して配設されている給湯配管４内に向けて流通する。
【０１９０】
上述したように循環ポンプ６０が回転駆動することで、給湯配管４内の湯を強制循環するので、１次熱交換器２および２次熱交換器３に対応して配設されている給湯配管４、特に２次熱交換器３に対応して配設されている給湯配管４内の湯が高温（沸騰）することはない。
【０１９１】
ところで、駆動制御部３３０が上記ステップＳ３０６を終了すると、制御手段３００は、風呂温度センサ１０からの検出結果（風呂検出温度値）を取り込んで、浴槽水の水温の温度差Ｃ＝「風呂設定温度値」−「風呂検出温度値」を演算し、この演算の結果である温度差Ｃが予め設定された値（例えば０．５℃）以上か否かを判断する（ステップＳ３０７）。
【０１９２】
ステップＳ３０７において温度差Ｃが予め設定された値（例えば０．５℃）よりも小さいと判断した制御手段３００は、図９に示したステップＳ２０８、Ｓ２０９の場合と同様の処理を実行する（ステップＳ３０８、Ｓ３０９）。
【０１９３】
ステップＳ３０７において温度差Ｃが予め設定された値（例えば０．５℃）以上であると判断された場合は、上記ステップＳ３０５に戻る。
【０１９４】
なお、上記ステップＳ３０３において温度差Ｃが予め設定された値（例えば０．５℃）よりも小さいと判断された場合は、ステップＳ３０９に進む。
【０１９５】
上記ステップＳ３０５において、判断部３１０によって上記関係式が不成立であると判断された場合は、その旨が駆動制御部３３０へ出力される。すると、駆動制御部３３０は、ステップＳ３０２での演算の結果（温度差Ｃ）が予め設定された値（例えば０．５℃）以上か否かを判断し（ステップＳ３１０）、温度差Ｃが予め設定された値（例えば０．５℃）以上である場合にはステップＳ３０５に戻り、一方、温度差Ｃが予め設定された値（例えば０．５℃）未満の場合はステップＳ３０８に進む。
【０１９６】
以上説明したように、本実施の形態３によれば、制御手段は、バーナ（燃焼手段）１による風呂の追い焚き燃焼のみが行われるときは、温度センサ（第１の温度検出手段）Ｓ１，Ｓ２による検出の結果（ＴＺ１，ＴＺ２）および温度センサ（第２の温度検出手段）Ｓ３による検出の結果（ＴＺ３）と予め設定された設定温度値とに基づいて、給湯配管４内の水を循環させるべく循環ポンプ（循環手段）が駆動制御するようにしているので、１次熱交換器２および２次熱交換器３に対応して配設されている給湯配管４の内部の高温の湯が、前記２つの熱交換器より所定距離離間して設けられている給湯配管４例えば入口側配管（給水側配管）４ａおよび出口側配管（給湯側配管）４ｂに流通して、これらの配管によって冷却されるとともに、当該給水側配管４ａおよび給湯側配管４ｂの内部の低温の湯が１次熱交換器２および２次熱交換器３に対応して配設されている給湯配管に流通すべく、給湯配管４内の水（湯）が循環ポンプ６０の駆動により強制的に循環されるので、風呂の追い焚き燃焼を単独で行っている場合であっても、潜熱回収用の２次熱交換器と接する給湯配管の水（湯）の沸騰を回避させることができる。
【０１９７】
なお、上述した実施の形態１〜３においては、温度差Ｃ（＝「風呂設定温度値」−「風呂検出温度値」）が適正か否かを判定するための基準である予め設定された値は０．５℃とし、また第１の設定温度値は８５℃とし、さらに第２の設定温度値は９０℃とするようにしているが、これらの数値は例示に過ぎず、これらの数値に限定されるものではない。
【０１９８】
また、上述した実施の形態１〜３では、一缶二水路給湯システムの場合について説明したが、本発明の一缶二水路給湯システムは、給湯、風呂（追い焚き）、暖房用の温水供給などが可能な一缶多水路給湯システムに適用することができる。
【産業上の利用可能性】
【０１９９】
本発明は、１次熱交換器および２次熱交換器はそれぞれ給湯配管および追い焚き配管に配設さるとともに、２次熱交換器に対応して給湯配管と追い焚き配管とが密着した構造で設けられている一缶二水路給湯システムを採用したシステム、例えば各種端末機（床暖房機、浴室暖房機など）に対して温水を循環させることで暖房および乾燥を行う機能を有するとともに、シャワーや台所などへの給湯、全自動風呂および追い焚きなどの機能を有する温水式給湯暖冷房システムに適用することができる。
【図面の簡単な説明】
【０２００】
【図１】本発明の実施の形態１である一缶二水路給湯システムの概略構成を示す模式図である。
【図２】図１に示した一缶二水路給湯システムの制御系の構成を示すブロック図である。
【図３】実施の形態１における追い焚き単独運転時の処理動作を示すフローチャートである。
【図４】実施の形態１における追い焚き単独運転時の追い焚き燃焼のオンオフ制御を説明する図である。
【図５】実施の形態１における追い焚き単独運転時の追い焚き燃焼のオンオフ制御を説明する図である。
【図６】実施の形態１における追い焚き単独運転時の追い焚き燃焼のオンオフ制御を説明する図である。
【図７】本発明の実施の形態２である一缶二水路給湯システムの概略構成を示す模式図である。
【図８】図７に示した一缶二水路給湯システムの制御系の構成を示すブロック図である。
【図９】実施の形態２における追い焚き単独運転時の処理動作を示すフローチャートである。
【図１０】本発明の実施の形態３である一缶二水路給湯システムの概略構成を示す模式図である。
【図１１】図１０に示した一缶二水路給湯システムの制御系の構成を示すブロック図である。
【図１２】実施の形態３における追い焚き単独運転時の処理動作を示すフローチャートである。
【図１３】従来の一缶二水路給湯システムの概略構成を示す模式図である。
【符号の説明】
【０２０１】
１  バーナ（燃焼手段）
２  １次熱交換器
２ａ  フィン
３  ２次熱交換器
３ａ  フィン
４  給湯配管
４ａ  入口側配管（給水側配管）
４ｂ  出口側配管（給湯側配管）
５  追い焚き配管
５ａ  戻り管
５ｂ  行き管
６  バイパス配管
７  給湯栓
８  浴槽
９  循環ポンプ
１０  風呂温度センサ
１１  注湯管
１２  注湯弁（開閉手段）
６０  循環ポンプ（循環手段）
１００  制御装置
１１０  制御手段
１１１  比較部（比較手段）
１１２  オンオフ制御部（オンオフ制御手段）
１２０  メモリ部
１３０  駆動制御部
１４０  燃焼制御部
２００  リモコン
２１０  風呂温度設定部
３００  制御手段
２２０  追い炊き単独運転設定部
３１０  判断部（判断手段）
３２０  開閉制御部（開閉制御手段）
３３０  駆動制御部（駆動制御手段）
Ｓ１  温度センサ（第１の温度検出手段）
Ｓ２  温度センサ（第１の温度検出手段）
Ｓ３  温度センサ（第２の温度検出手段）
【図１】
2007120866.tif 000003
【図２】
2007120866.tif 000004
【図３】
2007120866.tif 000005
【図４】
2007120866.tif 000006
【図５】
2007120866.tif 000007
【図６】
2007120866.tif 000008
【図７】
2007120866.tif 000009
【図８】
2007120866.tif 000010
【図９】
2007120866.tif 000011
【図１０】
2007120866.tif 000012
【図１１】
2007120866.tif 000013
【図１２】
2007120866.tif 000014
【図１３】
2007120866.tif 000015